(57)【要約】【課題】生産性向上を図ると共に誤嵌合を抑制することが可能なコネクタ装置を提供する。【解決手段】  複数の同軸ケーブル６０が電気的に接続される配線パターン４２，４３が形成され、折り曲げ部２１〜２３に沿って折り曲げ可能なフレキシブル基板２０と、フレキシブル基板２０に実装され、配線パターン４２，４３に電気的に接続された複数のレセプタクル型コネクタ５０Ａ〜５０Ｄと、を備えており、複数のレセプタクル型コネクタ５０Ａ〜５０Ｄは、折り曲げ部２１〜２３に沿ってフレキシブル基板２０を折り曲げた際に相互に干渉しない位置に配置されている。【選択図】  図１
2010251173.tif 000002
【特許請求の範囲】
【請求項１】
複数の同軸ケーブルが電気的に接続される配線パターンが形成され、折り曲げ部に沿って折り曲げ可能なフレキシブル基板と、
前記フレキシブル基板に実装され、前記配線パターンに電気的に接続された複数のコネクタ嵌合部と、を備え、
複数の前記コネクタ嵌合部は、前記折り曲げ部に沿って前記フレキシブル基板を折り曲げた際に相互に干渉しない位置に配置されていることを特徴とするコネクタ装置。
【請求項２】
複数の同軸ケーブルが電気的に接続される配線パターンが形成され、第１の折り曲げ部に沿って谷折り可能なフレキシブル基板と、
前記フレキシブル基板に実装され、前記配線パターンに電気的に接続された複数のコネクタ嵌合部と、を備え、
複数の前記コネクタ嵌合部は、前記第１の折り曲げ部を中心として相互に非対称な位置に配置されていることを特徴とするコネクタ装置。
【請求項３】
請求項２記載のコネクタ装置であって、
前記フレキシブル基板は、さらに第２の折り曲げ部に沿って山折り可能となっており、
前記第１の折り曲げ部と前記第２の折り曲げ部とは交互に配置されていることを特徴とするコネクタ装置。
【請求項４】
複数の同軸ケーブルが電気的に接続される配線パターンが形成され、折り曲げ部に沿って山折り可能なフレキシブル基板と、
前記フレキシブル基板に実装され、前記配線パターンに電気的に接続された複数のコネクタ嵌合部と、を備え、
複数の前記コネクタ嵌合部は、前記折り曲げ部を中心として対称な位置に相互に配置されていることを特徴とするコネクタ装置。
【請求項５】
請求項１〜４の何れかに記載のコネクタ装置であって、
前記フレキシブル基板は、両端にガイド孔又は切り欠きが形成されていることを特徴とすることを特徴とするコネクタ装置。
【発明の詳細な説明】
【技術分野】
【０００１】
本発明は、複数の同軸ケーブルがそれぞれ電気的に接続された複数のコネクタ嵌合部を有するコネクタ装置に関するものである。
【背景技術】
【０００２】
携帯電話、ＰＤＡ（Personal Digital Assistant）、ノート型パソコン等の携帯型情報処理端末装置では、同軸ケーブルを基板等に接続するために同軸ケーブル用コネクタが使用されている（例えば特許文献１及び２参照）。
【先行技術文献】
【特許文献】
【０００３】
【特許文献１】特開２００６−２１６４４５号公報
【特許文献２】特開２００５−１９０７９８号公報
【発明の概要】
【発明が解決しようとする課題】
【０００４】
携帯型情報処理端末装置の中にはヒンジ部を介して折り曲げ可能となっているものがあるが、こうした機種では、同軸ケーブルが取り付けられた複数のコネクタを、狭小なヒンジ部内に挿通させた後に相手方のコネクタに嵌合させなければならない場合がある。この挿通及び嵌合作業では、コネクタを一つずつ挿通及び嵌合しなければならず、多く工数を必要とすると共に誤嵌合のおそれがあるという問題があった。
【０００５】
本発明が解決しようとする課題は、生産性向上を図ると共に誤嵌合を抑制することが可能なコネクタ装置を提供することである。
【課題を解決するための手段】
【０００６】
本発明は、複数の同軸ケーブルが電気的に接続される配線パターンが形成され、折り曲げ部に沿って折り曲げ可能なフレキシブル基板と、前記フレキシブル基板に実装され、前記配線パターンに電気的に接続された複数のコネクタ嵌合部と、を備え、複数の前記コネクタ嵌合部は、前記折り曲げ部に沿って前記フレキシブル基板を折り曲げた際に相互に干渉しない位置に配置されていることを特徴とするコネクタ装置が提供される。
【０００７】
また、本発明によれば、複数の同軸ケーブルが電気的に接続される配線パターンが形成され、第１の折り曲げ部に沿って谷折り可能なフレキシブル基板と、前記フレキシブル基板に実装され、前記配線パターンに電気的に接続された複数のコネクタ嵌合部と、を備え、複数の前記コネクタ嵌合部は、前記第１の折り曲げ部を中心として相互に非対称な位置に配置されていることを特徴とするコネクタ装置が提供される。
【０００８】
さらに、本発明によれば、複数の同軸ケーブルが電気的に接続される配線パターンが形成され、折り曲げ部に沿って山折り可能なフレキシブル基板と、前記フレキシブル基板に実装され、前記配線パターンに電気的に接続された複数のコネクタ嵌合部と、を備え、複数の前記コネクタ嵌合部は、前記折り曲げ部を中心として対称な位置に相互に配置されていることを特徴とするコネクタ装置が提供される。
【０００９】
なお、本発明における「谷折り」及び「山折り」は、フレキシブル基板においてコネクタ嵌合部が実装されている面を基準とする。
【発明の効果】
【００１０】
本発明によれば、複数のコネクタ嵌合部をフレキシブル基板に実装し、そのフレキシブル基板が折り曲げ部に沿って折り曲げ可能となっていると共に、そのフレキシブル基板を折り曲げた際に複数のコネクタ嵌合部が相互に干渉しない位置に配置されているので、挿通及び嵌合作業の生産性を向上させると共に、コネクタ嵌合部の誤嵌合を抑制することができる。
【図面の簡単な説明】
【００１１】
【図１】図１は、本発明の第１実施形態におけるコネクタ装置を示す平面図である。
【図２】図２は、図１のII部の拡大図である。
【図３】図３は、図１のIII-III線に沿った断面図である。
【図４】図４は、図１に示すコネクタ装置のフレキシブル基板を示す平面図である。
【図５】図５は、本発明の第１実施形態におけるコネクタ装置の第１変形例を示す概略平面図である。
【図６】図６は、本発明の第１実施形態におけるコネクタ装置の第２変形例を示す概略平面図である。
【図７】図７は、本発明の第１実施形態におけるコネクタ装置の第３変形例を示す概略平面図である。
【図８】図８は、図１に示すコネクタ装置を折り畳む様子を示す斜視図である。
【図９】図９は、図１に示すコネクタ装置を折り畳んだ状態を示す斜視図である。
【図１０】図１０は、図１に示すコネクタ装置をヒンジ部に挿入している状態を示す斜視図である。
【図１１】図１１は、図１に示すコネクタ装置を相手方のコネクタに嵌合させる様子を示す断面図である。
【図１２】図１２は、本発明の第１実施形態におけるコネクタ装置の第４変形例を示す平面図である。
【図１３】図１３は、図１２に示すコネクタ装置を相手方の回路基板に位置決めする様子を示す断面図である。
【図１４】図１４は、本発明の第１実施形態におけるコネクタ装置の第５変形例を示す平面図である。
【図１５】図１５は、本発明の第２実施形態におけるコネクタ装置を示す平面図である。
【図１６】図１６は、本発明の第２実施形態におけるコネクタ装置の変形例を示す概略平面図である。
【図１７】図１６は、図１５に示すコネクタ装置を折り畳む様子を示す斜視図である。
【図１８】図１８は、図１５に示すコネクタ装置を折り畳んだ状態を示す斜視図である。
【発明を実施するための形態】
【００１２】
以下、本発明の実施形態を図面に基づいて説明する。
【００１３】
<<第１実施形態>>
図１は本発明の第１実施形態におけるコネクタ装置を示す平面図、図２は図１のII部の拡大図、図３は図１のIII-III線に沿った断面図、図４は図１に示すコネクタ装置のフレキシブル基板を示す平面図である。
【００１４】
図１に示すように、本実施形態におけるコネクタ装置１０Ａは、同軸ケーブル６０が接続される配線パターン４２，４３が形成されたフレキシブル基板２０と、このフレキシブル基板２０に実装され、配線パターン４２，４３を介して同軸ケーブル６０に電気的に接続されている４つのレセプタクル型コネクタ５０Ａ〜５０Ｄ（コネクタ嵌合部）と、を備えている。
【００１５】
フレキシブル基板２０に接続される同軸ケーブル６０は、たとえばＭＣＸ（Micro Coaxial Cable：極細同軸ケーブル）であり、図２に示すように、中心導体６１と、中心導体６１の外周に配置された絶縁層６２と、絶縁層４２の外周に配置された外部導体６３と、これらを被覆している外被覆層６４と、から構成されている。中心導体６１と外部導体６３は、例えば金属材料等の導電性に優れた材料から構成されており、外部導体６３は、絶縁層６２を介して中心導体６１と同軸状に配置されている。一方、絶縁層６２及び外被覆層６４は、例えば樹脂材料等の電気絶縁性に優れた材料から構成されている。
【００１６】
本実施形態のフレキシブル基板２０は、図３に示すように、ベースフィルム４１、配線パターン４２，４３、及びカバーレイフィルム４４を備えている。
【００１７】
ベースフィルム４１は、例えば、ポリイミド樹脂やポリエステル樹脂の電気絶縁性及び可撓性を有する材料から構成されている。配線パターン４２，４３は、ベースフィルム４１の上に積層された銅箔に、フォトリソグラフィ技術を用いて所定の回路パターンを形成することで構成されている。カバーレイフィルム４４は、例えば接着剤が塗布された樹脂フィルムから構成されている。このカバーレイフィルム４４は、接着層を介して、配線パターン４２，４３を覆うようにベースフィルム４１の上に積層されている。このカバーレイフィルム４４の樹脂フィルムは、ベースフィルム４１と同様の材料で構成されている。
【００１８】
本実施形態のフレキシブル基板２０は、図１に示すように、同軸ケーブル６０の接続方向に沿って形成された３つの折り曲げ部２１〜２３を有している。これらの折り曲げ部２１〜２３には配線パターン４２，４３が形成されていないので、折り曲げ部２１〜２３に沿ってフレキシブル基板２０を折り曲げることが可能となっている。
【００１９】
具体的には、図１に示すように、第１及び第３の折り曲げ部２１，２３に沿って、図中の表面（第１〜第４のレセプタクル型コネクタ５０Ａ〜５０Ｄが実装されている面）同士を合わせるようにフレキシブル基板２０を折る（谷折りする）ことが可能となっている。また、第２の折り曲げ部２２に沿って、図中の裏面（第１〜第４のレセプタクル型コネクタ５０Ａ〜５０Ｄが実装されていない面）同士を合わせるようにフレキシブル基板２０を折る（山折りする）ことが可能となっている。
【００２０】
なお、後述するように、第１の折り曲げ部２１を谷折りした際に、折れ曲がったフレキシブル基板２０の間に、第１及び第２のレセプタクル型コネクタ５０Ａ，５０Ｂが介在することとなるため、第１の折り曲げ部２１は、レセプタクル型コネクタ５０Ａ，５０Ｂの高さと実質的に等しい幅を有しており、第２の折り曲げ部２２よりも幅広となっている。
【００２１】
同様に、第３の折り曲げ部２３も谷折りした際に、折れ曲がったフレキシブル基板２０の間に、第３及び第４のレセプタクル型コネクタ５０Ｃ，５０Ｄが介在することとなるため、第３の折り曲げ部２３は、レセプタクル型コネクタ５０Ｃ，５０Ｄの高さと実質的に等しい幅を有している。
【００２２】
図１に示すように、これら第１〜第３の折り曲げ部２１〜２３によって、フレキシブル基板２０が４つの領域２０Ａ〜２０Ｄに区画されており、それぞれの領域２０Ａ〜２０Ｄに信号配線パターン４２とグランド（ＧＮＤ）配線パターン４３とが形成されている。
【００２３】
信号配線パターン４２は、図４に示すように、各領域２０Ａ〜２０Ｄにおいて、フレキシブル基板２０の一端（図１及び図４において下端）からレセプタクル型コネクタ５０Ａ〜５０Ｄの実装位置まで直線状に伸び、さらにその先端で分岐するように形成されている。一方、グランド配線パターン４３は、信号配線パターン４２を除いて、各領域２０Ａ〜２０Ｄのほぼ全面に亘って形成されている。なお、図２に示すように、フレキシブル基板２０の一端において、グランド配線パターン４３に同軸ケーブル６０の外部導体６３が接続され、信号配線パターン６３に同軸ケーブル６０の内部導体６１が接続されている。
【００２４】
フレキシブル基板２０の各領域２０Ａ〜２０Ｄには、図１に示すように、４つのレセプタクル型コネクタ５０Ａ〜５０Ｄがそれぞれ実装されている。レセプタクル型コネクタ５０Ａ〜５０Ｄは、ＳＭＴ（Surface Mount Technology）タイプの同軸ケーブル用コネクタであり、図１及び図３に示すように、筒型形状のグランド（ＧＮＤ）端子５１と、このグランド端子５１の略中央に配置された一対の信号端子５２と、グランド端子５１及び信号端子５２を保持する絶縁板５３と、を備えている。
【００２５】
図３に示すように、レセプタクル型コネクタ５０Ａ〜５０Ｄの信号端子５２は、フレキシブル基板２０の信号配線パターン４２にそれぞれ接続されている。一方、レセプタクル型コネクタ５０Ａ〜５０Ｄのグランド端子５１は、フレキシブル基板２０のグランド配線パターン４３にそれぞれ接続されている。従って、レセプタクル型コネクタ５０Ａ〜５０ｄの信号端子５２は、信号配線パターン４２を介して、同軸ケーブル６０の中心導体６１にそれぞれ電気的に接続されており、レセプタクル型コネクタ５０Ａ〜５０Ｄのグランド端子５１は、グランド配線パターン４３を介して、同軸ケーブル６０の外部導体６３にそれぞれ電気的に接続されている。
【００２６】
図１に示すように、第１のレセプタクル型コネクタ５０Ａは第１の領域２０Ａにおいて図中上端側に配置されているのに対し、第２のレセプタクル型コネクタ５０Ｂは第２の領域２０Ｂにおいて図中下端側に配置されており、第１のレセプタクル型コネクタ５０Ａと第２のレセプタクル型コネクタ５０Ｂが第１の折り曲げ部２１を中心として相互に非対称な位置に配置されている。
【００２７】
同様に、図１に示すように、第３のレセプタクル型コネクタ５０Ｃは第３の領域２０Ｃにおいて図中下端側に配置されているのに対し、第４のレセプタクル型コネクタ５０Ｄは第４の領域２０Ｄにおいて図中上端側に配置されており、第３のレセプタクル型コネクタ５０Ｃと第４のレセプタクル型コネクタ５０Ｄが第３の折り曲げ部２３を中心として相互に非対称な位置に配置されている。
【００２８】
このような配置を採用することで、フレキシブル基板２０を折り曲げた際にレセプタクル型コネクタ５０Ａ〜５０Ｄが相互に干渉することなく、折り畳み時のコネクタ装置１０Ａを薄くすることができる。また、レセプタクル型コネクタ５０Ａ〜５０Ｄの相互の干渉がないので、レセプタクル型コネクタ５０Ａ〜５０Ｄの損傷も防止することができる。因みに、この第１実施形態の構造は、後述する第２実施形態の構造と比較して、コネクタ装置１０Ａの奥行き方向の寸法を小さくすることができる。
【００２９】
なお、第１〜第４のレセプタクル型コネクタ５０Ａ〜５０Ｄは、フレキシブル基板２０の主面に対して垂直方向から相手方のコネクタが嵌合するものであれば、上述のものに特に限定されないが、良好な減衰特性を確保すると共に折り畳み時のコネクタ装置の薄型化を図るために、ＳＭＴタイプの低背のＲＦコネクタであることが好ましい。また、フレキシブル基板２０に実装されるコネクタをプラグ型コネクタとし、相手方の回路基板にプラグ型コネクタを実装してもよい。
【００３０】
また、レセプタクル型コネクタの数や配置は、フレキシブル基板の折り曲げ時にレセプタクル型コネクタが相互に干渉しなければ、上記のものに特に限定されない。図５〜図７は本実施形態におけるコネクタ装置の変形例を示す概略平面図である。
【００３１】
例えば、図５に示す例では、第３のレセプタクル型コネクタ５０Ｃを第３の領域２０Ｃにおいて図中上端側に配置し、第４のレセプタクル型コネクタ５０Ｄを第４の領域２０Ｄにおいて図中下端側に配置することで、第３の折り曲げ部２３を中心として第３のレセプタクル型コネクタ５０Ｃと第４のレセプタクル型コネクタ５０Ｄとを相互に非対称な位置に配置している。
【００３２】
図６に示す例では、第１の領域２０Ａの中央に第１のレセプタクル型コネクタ５０Ａを配置し、第２の領域２０Ｂの両端に第２及び第３のレセプタクル型コネクタ５０Ｂ，５０Ｃを配置しており、第１の折り曲げ部２１を中心として、第１のレセプタクル型コネクタ５０Ａと、第２及び第３のレセプタクル型コネクタ５０Ｂ，５０Ｃとが相互に非対称な位置に配置されている。
【００３３】
同様に、第３の領域２０Ｃの中央に第４のレセプタクル型コネクタ５０Ｄを配置し、第４の領域２０Ｄの両端に第５及び第６のレセプタクル型コネクタ５０Ｅ，５０Ｆを配置しており、第３の折り曲げ部２３を中心として、第４のレセプタクル型コネクタ５０Ｄと、第５及び第６のレセプタクル型コネクタ５０Ｅ，５０Ｆとが相互に非対称な位置に配置されている。
【００３４】
図７に示す例では、第１〜第３の折り曲げ部２１〜２３に加えて、山折り可能な第４の折り曲げ部２４と、谷折り可能な第５の折り曲げ部２５とが、フレキシブル基板２０に形成されている。この第４及び第５の折り曲げ部２４，２５によって第５の領域２０Ｅと第６の領域２０Ｆとが区画されている。
【００３５】
第１〜第４の領域２０Ａ〜２０Ｄには、図５の場合と同様に、第１〜第４のレセプタクル型コネクタ５０Ａ〜５０Ｄが配置されている。さらに、第５の領域２０Ｅの図中上端側に第５のレセプタクル型コネクタ５０Ｅが配置され、第６の領域２０Ｆの図中下側に第６のレセプタクル型コネクタ５０Ｆが配置されており、第５の折り曲げ部２５を中心として、第５のレセプタクル型コネクタ５０Ｅと第６のレセプタクル型コネクタ５０Ｆとが相互に非対称に配置されている。
【００３６】
このように、谷折りの折り曲げ部と山折りの折り曲げ部とを交互に配置することで、レセプタクル型コネクタの実装数を増やすことができ、挿通作業の生産性が更に向上する。なお、第５及び第６のレセプタクル型コネクタ５０Ｅ，５０Ｆは、第１〜第４のレセプタクル型コネクタ５０Ａ〜５０Ｄと同様の構造を有している。
【００３７】
次に、図１に示すコネクタ装置１０Ａを、携帯型情報処理端末装置のヒンジ部８０内に挿通させたのちに、レセプタクル型コネクタ５０Ａ〜５０Ｄを相手方のコネクタ７１に嵌合させる一連の作業について、図８〜図１１を参照しながら説明する。
【００３８】
図８は図１に示すコネクタ装置を折り畳む様子を示す斜視図、図９は図１に示すコネクタ装置を折り畳んだ状態を示す斜視図、図１０は図１に示すコネクタ装置をヒンジ部に挿入している状態を示す斜視図、図１１は図１に示すコネクタ装置を相手方のコネクタに嵌合させる様子を示す断面図である。
【００３９】
先ず、図８及び図９に示すように、第１及び第３の折り曲げ部２１，２３に沿ってフレキシブル基板２０を谷折りすると共に、第２の折り曲げ部２２に沿ってフレキシブル基板２０を山折りする。この折り畳みの際に、第１のレセプタクル型コネクタ５０Ａと第２のレセプタクル型コネクタ５０Ｂとが相互に干渉することはなく、また、第３のレセプタクル型コネクタ５０Ｃと第４のレセプタクル型コネクタ５０Ｄとが相互に干渉することもない。
【００４０】
この折り畳みよって、コネクタ装置１０Ａの横幅が１／４程度に減少するので、図１０に示すように、ヒンジ部８０の狭小な内孔８１をコネクタ装置１０Ａが通過することができる。このように、本実施形態では、複数のレセプタクル型コネクタ５０Ａ〜５０Ｄをヒンジ部８０にまとめて挿通することができるので、挿通作業の生産性向上を図ることができる。
【００４１】
コネクタ装置１０Ａがヒンジ部８０を通過したら、折り畳まれていたフレキシブル基板２０を広げたのちに、図１１に示すように、相手方の回路基板７０等に設けられたプラグ型コネクタ７１に、第１〜第４のレセプタクル型コネクタ５０Ａ〜５０Ｄをそれぞれ嵌合させる。なお、図１１には、回路基板７０に一つのプラグ型コネクタ７１のみを図示しているが、実際の回路基板７０には、コネクタ装置１０Ａに実装されたレセプタクル型コネクタ５０Ａ〜５０Ｄに応じた数（本例では４つ）のプラグ型コネクタ７１が実装されている。
【００４２】
この際、第１〜第４のレセプタクル型コネクタ５０Ａ〜５０Ｄがフレキシブル基板２０に直接実装されており、コネクタ５０Ａ〜５０Ｄ相互間の位置関係が規定されているので、嵌合作業の生産性向上を図ることができると共に、誤嵌合の抑制を図ることができる。
【００４３】
図１２は本実施形態におけるコネクタ装置の第４変形例を示す平面図、図１３は図１２に示すコネクタ装置を相手方の回路基板に位置決めする様子を示す断面図、図１４は本実施形態におけるコネクタ装置の第５変形例を示す平面図である。
【００４４】
図１２に示すように、フレキシブル基板２０の上部両端にガイド孔２６を形成してもよい。この場合には、折り畳まれていたフレキシブル基板２０を広げたのちに、図１３に示すように、相手方の回路基板７０に設けられたガイドピン７２をガイド孔２６に挿入する。これにより、折り畳まれていたフレキシブル基板２０を強制的に広げることができると共に、複数のレセプタクル型コネクタ５０Ａ〜５０Ｄをプラグ型コネクタ７１に対して容易に位置決めすることができ、嵌合作業の生産性が更に向上する。なお、図１３に示すように、ガイドピン７２がテーパ形状を有することで、位置決め作業が更に容易になる。
【００４５】
また、図１４に示すように、フレキシブル基板２０の一方の上端部に、ガイド孔２６に代えて、切り欠き２７を形成してもよい。この場合には、切り欠き２７をガイドピンに係合することでコネクタ装置１０Ａを回路基板７０に対して仮止めしたのちに、ガイド孔２６にガイドピン７２を挿入することで４つのレセプタクル型コネクタ５０Ａ〜５０Ｄをプラグ型コネクタ７１に対して位置決めする。
【００４６】
以上のように、第１実施形態では、複数のレセプタクル型コネクタ５０Ａ〜５０Ｄをフレキシブル基板２０に実装し、そのフレキシブル基板２０が折り曲げ部２１〜２３に沿って折り曲げ可能となっていると共に、そのフレキシブル基板２０を折り曲げた際に複数のレセプタクル型コネクタ５０Ａ〜５０Ｄが相互に干渉しない位置に配置されているので、挿通及び嵌合作業の生産性を向上させると共に、レセプタクル型コネクタ５０Ａ〜５０Ｄの誤嵌合を抑制することができる。
【００４７】
<<第２実施形態>>
図１５は本発明の第２実施形態におけるコネクタ装置を示す平面図である。
【００４８】
本実施形態では、折り曲げ部の数、及びレセプタクル型コネクタの配置が第１実施形態と相違するが、それ以外の構成は第１実施形態と同様である。以下に、第２実施形態におけるコネクタ装置について第１実施形態との相違点についてのみ説明し、第１実施形態と同様の構成である部分については同一符号を付して説明する。
【００４９】
本実施形態におけるコネクタ装置１０Ｂは、フレキシブル基板３０と、４つのレセプタクル型コネクタ５０Ａ〜５０Ｄと、を備えている。
【００５０】
図１５に示すように、フレキシブル基板３０は、第１実施形態と異なり、ひとつの折り曲げ部３１のみを有しており、この折り曲げ部３１に沿って図中の裏面（第１〜第４のレセプタクル型コネクタ５０Ａ〜５０Ｄが実装されていない面）同士を合わせるようにフレキシブル基板３０を折る（山折り）することが可能となっている。また、この折り曲げ部３１によって、フレキシブル基板３０が２つの領域３０Ａ，３０Ｂに区画されている。
【００５１】
本実施形態では、図１５に示すように、第１の領域３０Ａに２つのレセプタクル型コネクタ５０Ａ，５０Ｂが実装されていると共に、第２の領域３０Ｂにも２つのレセプタクル型コネクタ５０Ｃ，５０Ｄが実装されている。すなわち、第１のレセプタクル型コネクタ５０Ａと第３のレセプタクル型コネクタ５０Ｃは折り曲げ部３１を中心として相互に対象な位置に配置されており、第２のレセプタクル型コネクタ５０Ｂと第４のレセプタクル型コネクタ５０Ｄも折り曲げ部３１を中心として相互に対象な位置に配置されている。
【００５２】
レセプタクル型コネクタ５０Ａ〜５０Ｄを上記のように配置すると共に折り曲げ部３１でフレキシブル基板３０を山折りすることで、フレキシブル基板３０を折り曲げた際にレセプタクル型コネクタ５０Ａ〜５０Ｄが相互に干渉することがないので、レセプタクル型コネクタ５０Ａ〜５０Ｄの損傷を防止することができる。また、本実施形態では、同一の領域に複数のレセプタクル型コネクタを実装するので、レセプタクル型コネクタの実装密度を高めることができる。因みに、第２実施形態の構造は、第１実施形態の構造と比較して、折り畳み時のコネクタ装置１０Ｂの断面積が小さい。
【００５３】
なお、レセプタクル型コネクタの数は、上記のものに特に限定されない。図１６は本実施形態におけるコネクタ装置の変形例を示す概略平面図である。例えば、図１６に示す例では、フレキシブル基板３０の第１の領域３０Ａに３つのレセプタクル型コネクタ５０Ａ〜５０Ｃが配置されており、第２の領域３０Ｂにも３つのレセプタクル型コネクタ５０Ｄ〜５０Ｆが配置されている。
【００５４】
次に、図１５に示すコネクタ装置１０Ｂをヒンジ部８０内に挿通させたのちに、レセプタクル型コネクタ５０Ａ〜５０ｄを相手方のコネクタに嵌合させる一連の作業について、図１７及び図１８を参照しながら説明する。
【００５５】
図１７は図１５に示すコネクタ装置を折り畳む様子を示す斜視図、図１８は図１５に示すコネクタ装置を折り畳んだ状態を示す斜視図である。
【００５６】
先ず、図１７及び図１８に示すように、折り曲げ部３１に沿ってフレキシブル基板３０を山折りする。この折り畳みの際、フレキシブル基板３０は、レセプタクル型コネクタ５０Ａ〜５０Ｄが実装されていない裏面を合わせるように折り畳まれるので、第１〜第４のレセプタクル型コネクタ５０Ａ〜５０Ｄが相互に干渉することはない。
【００５７】
この折り畳みによって、コネクタ装置１０Ｂの横幅が１／２程度に減少するので、ヒンジ部８０の狭小な内孔８１をコネクタ装置１０Ｂが通過することができる。このように、本実施形態では、複数のレセプタクル型コネクタ５０Ａ〜５０Ｄをヒンジ部８０にまとめて挿通することができるので、挿通作業の生産性向上を図ることができる。
【００５８】
コネクタ装置１０Ｂがヒンジ部８０を通過したら、折り畳まれていたフレキシブル基板３０を広げたのちに、相手方のプラグ型コネクタに第１〜第４のレセプタクル型コネクタ５０Ａ〜５０Ｄを嵌合させる。
【００５９】
この際、第１〜第４のレセプタクル型コネクタ５０Ａ〜５０Ｄがフレキシブル基板３０に直接実装されており、コネクタ５０Ａ〜５０Ｄ相互間の位置関係が規定されているので、嵌合作業の生産性向上を図ることができると共に、誤嵌合の抑制を図ることができる。
【００６０】
以上のように、第２実施形態では、複数のレセプタクル型コネクタ５０Ａ〜５０Ｄをフレキシブル基板３０に実装し、そのフレキシブル基板３０が折り曲げ部３１に沿って折り曲げ可能となっていると共に、そのフレキシブル基板３０を折り曲げた際に複数のレセプタクル型コネクタ５０Ａ〜５０Ｄが相互に干渉しない位置に配置されているので、挿通及び嵌合作業の生産性を向上させると共に、レセプタクル型コネクタ５０Ａ〜５０Ｄの誤嵌合を抑制することができる。
【００６１】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００６２】
１０Ａ〜１０Ｄ…コネクタ装置
２０…フレキシブル基板
２０Ａ〜２０Ｆ…第１〜第６の領域
２１〜２５…第１〜第５の折り曲げ部
２６…ガイド孔
２７…切り欠き
３０…フレキシブル基板
３０Ａ，３０Ｂ…第１及び第２の領域
３１…折り曲げ部
４１…ベースフィルム
４２…信号配線パターン
４３…グランド配線パターン
４４…カバーレイ
５０Ａ〜５０Ｆ…第１〜第６のレセプタクル型コネクタ
５１…グランド端子
５２…信号端子
５３…絶縁板
６０…同軸ケーブル
６１…中心導体
６２…絶縁層
６３…外部導体
６４…外被覆層
７０…回路基板
７１…プラグ型コネクタ
７２…ガイドピン
８０…ヒンジ
８１…内孔
【図１】
2010251173.tif 000003
【図２】
2010251173.tif 000004
【図３】
2010251173.tif 000005
【図４】
2010251173.tif 000006
【図５】
2010251173.tif 000007
【図６】
2010251173.tif 000008
【図７】
2010251173.tif 000009
【図８】
2010251173.tif 000010
【図９】
2010251173.tif 000011
【図１０】
2010251173.tif 000012
【図１１】
2010251173.tif 000013
【図１２】
2010251173.tif 000014
【図１３】
2010251173.tif 000015
【図１４】
2010251173.tif 000016
【図１５】
2010251173.tif 000017
【図１６】
2010251173.tif 000018
【図１７】
2010251173.tif 000019
【図１８】
2010251173.tif 000020